(57)【特許請求の範囲】
【請求項１】
住戸において、蓄電池と当該蓄電池とは異なる他の電源とから、前記住戸に設置された電気機器に電力を供給することを可能とする配電システムであって、
前記蓄電池の残量を管理する管理装置と、前記住戸に設置され前記管理装置と通信する端末とを備え、
前記管理装置は、
前記蓄電池が前記電気機器に電力を供給していることを検出する電力供給検出部と、
前記蓄電池の残量を検出する残量検出部と、
前記蓄電池が前記電気機器に電力を供給していることが前記電力供給検出部で検出された場合に、前記残量検出部で検出された前記蓄電池の残量に関する残量情報を前記端末に伝送する管理側通信部とを有し、
前記端末は、
前記管理装置から前記残量情報を取得する端末側通信部と、
前記端末側通信部で取得された前記残量情報に応じて前記蓄電池の残量を提示する提示部とを有し、
前記蓄電池が前記電気機器に電力を供給していることが検出された場合における前記提示部による前記蓄電池の残量を提示する機能について有効と無効とを切り替えるために操作される機能制御操作部と、
前記蓄電池の残量を前記提示部に提示させるために操作される残量確認操作部とを備え、
前記提示部は、前記機能制御操作部に対する切替操作に従って、前記蓄電池が前記電気機器に電力を供給していることが検出された場合における前記蓄電池の残量を提示する機能について有効と無効とを切り替え、
前記提示部は、前記残量確認操作部が操作されると前記蓄電池の残量を提示する
ことを特徴とする配電システム。
【請求項２】
請求項１記載の配電システムに用いられる管理装置であって、
前記電力供給検出部と、前記残量検出部と、前記管理側通信部とを備える
ことを特徴とする管理装置。
【請求項３】
請求項１記載の配電システムに用いられる端末であって、
前記端末側通信部と、前記提示部とを備える
ことを特徴とする端末。
【発明の詳細な説明】
【技術分野】
【０００１】
本発明は、住戸において蓄電池から電気機器に電力を供給することを可能とする配電システム、配電システムに用いられる管理装置および端末に関する。
【背景技術】
【０００２】
従来から、住戸において電力会社の商用電源から電気機器に電力を供給する配電システムが構築されている。商用電源から電気機器に電力を供給する場合、住戸で使用可能な電力の上限値は、電力会社との契約および分電盤に設置されるブレーカの容量によって定められる。上限値を超える電力が使用された場合、ブレーカが動作して電力供給が停止するという状況が発生する。上記のような状況になった場合、点灯中の照明器具が消灯したり、動作中のエアコンが停止したり、電子レンジなどの電化調理器具が停止したりするといったように、本来停止してほしくない電気機器が停止してしまうことになり、電気機器の復旧作業に手間を要するといった問題があった。
【０００３】
上記問題を解決する手段として、電源供給部にセンサを備え、センサの検知量が予め決められた供給量を超えた場合に、予め登録された電気機器に対する電力使用を削減または停止させるように制御するシステムが知られている（例えば特許文献１，２参照）。
【先行技術文献】
【特許文献】
【０００４】
【特許文献１】特開２００５−１１０４２４号公報
【特許文献２】特開２０１０−７４５９１号公報
【発明の概要】
【発明が解決しようとする課題】
【０００５】
特許文献１，２に記載されたような従来のシステムでは、商用電源のみから電気機器に電力を供給する場合を前提とし、太陽光発電などによって生成された電力を蓄電可能な蓄電池が電気機器に電力を供給する場合については考慮されていない。住戸に設置される蓄電池の蓄電容量は一般的に高くない。したがって、蓄電容量が限られている蓄電池から電気機器に電力を供給する場合、使用者が気付かないうちに蓄電池の蓄電容量を超えて使い過ぎてしまう可能性がある。蓄電池の残量が減少していき、全量を放電した場合、電力コストの高い商用電源を使用する必要があるため、エネルギーコストを抑制することができないという問題があった。
【０００６】
本発明は上記の点に鑑みて為され、本発明の目的は、住戸において蓄電池が電気機器に電力を供給している場合に蓄電池の残量および蓄電池が用いられていることを使用者に知らせることができる配電システム、配電システムに用いられる管理装置および端末を提供することにある。
【課題を解決するための手段】
【０００７】
本発明の配電システムは、住戸において、蓄電池と当該蓄電池とは異なる他の電源とから、前記住戸に設置された電気機器に電力を供給することを可能とする配電システムであって、前記蓄電池の残量を管理する管理装置と、前記住戸に設置され前記管理装置と通信する端末とを備え、前記管理装置は、前記蓄電池が前記電気機器に電力を供給していることを検出する電力供給検出部と、前記蓄電池の残量を検出する残量検出部と、前記蓄電池が前記電気機器に電力を供給していることが前記電力供給検出部で検出された場合に、前記残量検出部で検出された前記蓄電池の残量に関する残量情報を前記端末に伝送する管理側通信部とを有し、前記端末は、前記管理装置から前記残量情報を取得する端末側通信部と、前記端末側通信部で取得された前記残量情報に応じて前記蓄電池の残量を提示する提示部とを有し、前記蓄電池が前記電気機器に電力を供給していることが検出された場合における前記提示部による前記蓄電池の残量を提示する機能について有効と無効とを切り替えるために操作される機能制御操作部と、前記蓄電池の残量を前記提示部に提示させるために操作される残量確認操作部を備え、前記提示部は、前記機能制御操作部に対する切替操作に従って、前記蓄電池が前記電気機器に電力を供給していることが検出された場合における前記蓄電池の残量を提示する機能について有効と無効とを切り替え、前記提示部は、前記残量確認操作部が操作されると前記蓄電池の残量を提示することを特徴とする。
【００１３】
本発明の管理装置は、前記配電システムに用いられる管理装置であって、前記電力供給検出部と、前記残量検出部と、前記管理側通信部とを備えることを特徴とする。
【００１４】
本発明の端末は、前記配電システムに用いられる端末であって、前記端末側通信部と、前記提示部とを備えることを特徴とする。
【発明の効果】
【００１５】
本発明は、住戸において蓄電池が電気機器に電力を供給している場合に蓄電池の残量を提示することによって、蓄電池の残量を常時提示する場合とは異なり、使用者に対して、蓄電池の残量とともに、現在、蓄電池が用いられていることを知らせることができる。
【図面の簡単な説明】
【００１６】
【図１】実施形態１に係る配線システムの構成を示す概略図である。
【図２】同上に係る管理装置の構成を示すブロック図である。
【図３】同上に係る端末の構成を示すブロック図である。
【図４】同上に係る端末の正面図である。
【図５】同上に係る端末であって、取付枠に取り付けられた状態の正面図である。
【図６】（ａ）は同上に係る端末の一部の外観図、（ｂ）は同上に係る端末が取り付けられる取付枠の斜視図である。
【図７】実施形態２に係る端末の構成を示すブロック図である。
【図８】同上に係る端末の正面図である。
【発明を実施するための形態】
【００１７】
以下の実施形態１〜３では、住戸において蓄電池から電気機器に電力を供給することを可能とする配電システムについて説明する。
【００１８】
（実施形態１）
実施形態１に係る配電システムは、図１に示すように、戸建住宅である住戸９に設置され、商用電源７から複数台（図示例では２台）の電気機器６，６への電力供給を可能とする。電気機器６は、住戸９内の部屋９１に設置されている。
【００１９】
本実施形態の配電システムは、系統連系を行う太陽電池モジュール１と、太陽電池モジュール１で生成された直流電力を蓄電するための蓄電装置２と、直流電力を交流電力に変換するパワーコンディショナ３１と、交流電力を分電する分電盤３２とを備えている。本実施形態の配電システムは、住戸９において、複数個の電源（太陽電池モジュール１、商用電源７、後述の蓄電池２１）から各電気機器６に電力を供給することを可能とする。なお、配電システムの設置場所は、図１に示すような戸建住宅に限定されず、集合住宅内の１戸の住戸であってもよい。配電システムが集合住宅内の１戸の住戸に設置される場合、太陽電池モジュール１と蓄電装置２とパワーコンディショナ３１の各々は、集合住宅全体で１台ずつ設置されている。
【００２０】
また、本実施形態の配電システムは、後述の蓄電池２１の残量を管理する管理装置４と、住戸９に設置され管理装置４と通信する複数台（図示例では２台）の端末５，５とを備えている。端末５は、住戸９において任意の場所に配置することが可能であり、本実施形態では電気機器６が設置されている部屋９１に設置されている。
【００２１】
太陽電池モジュール１は、複数枚の太陽電池が並んで接続された状態で住戸９の屋根９２に設置され、太陽光発電によって直流電力を生成する。
【００２２】
蓄電装置２は、太陽電池モジュール１によって生成された直流電力を蓄電可能な蓄電池２１を備え、蓄電池２１の充放電を制御する充放電制御機能を有している。蓄電池２１は、例えばニカド電池、ニッケル水素電池、リチウムイオン電池または鉛蓄電池などであり、住戸９に設けられている。蓄電装置２は、太陽電池モジュール１による電力供給が不足している場合（夜間の場合を含む）に、蓄電池２１を放電させることによって、蓄電池２１から電気機器６に電力を供給させる。
【００２３】
パワーコンディショナ３１は、太陽電池モジュール１で生成された直流電力および蓄電池２１から出力された直流電力を交流電力に変換する。
【００２４】
分電盤３２は、パワーコンディショナ３１から出力される交流電力および商用電源７から供給される交流電力を分電する。
【００２５】
管理装置４は、図２に示すように、蓄電池２１が電気機器６に電力を供給していることを検出する電力供給検出部４１と、蓄電池２１の残量を検出する残量検出部４２と、各端末５（図１参照）と通信する管理側通信部４３とを備えている。管理装置４は、ＣＰＵ（Central Processing Unit：中央処理装置）を主構成要素とする。さらに、管理装置４は、管理装置４の動作電源である管理側電源部４４を備えている。
【００２６】
電力供給検出部４１は、蓄電池２１がパワーコンディショナ３１に向けて直流電力を出力していることを蓄電装置２から検出する。つまり、電力供給検出部４１は、蓄電池２１が放電していることを蓄電装置２から検出する。これにより、電力供給検出部４１は、蓄電池２１が複数台の電気機器６，６の少なくとも１台に電力を供給していることを検出する。
【００２７】
残量検出部４２は、例えば蓄電池２１の出力電圧を計測することによって蓄電池２１の残量を検出する。残量検出部４２で検出された蓄電池２１の残量に関する残量情報は、残量検出部４２から管理側通信部４３に出力される。
【００２８】
管理側通信部４３は、蓄電池２１が少なくともいずれかの電気機器６に電力を供給していることが電力供給検出部４１で検出された場合に、残量検出部４２から取得した残量情報を端末５に伝送する。本実施形態では、管理側通信部４３は、残量情報を含む通信信号を有線通信によって端末５に伝送する。具体的には、電力線８を通信回線として用いる電力線搬送通信（ＰＬＣ：Power Line Communication）によって、管理側通信部４３は、残量情報を含む通信信号を端末５に伝送する。つまり、管理側通信部４３は、管理装置４と分電盤３２との間の電力線８（図１参照）に接続され、上記電力線８に上記通信信号を重畳させて端末５に伝送する。また、管理側通信部４３は、端末５から送信された通信信号を供給電力に重畳した状態で分電盤３２から受信し、上記通信信号と供給電力とに分離することによって、上記通信信号を取得することができる。
【００２９】
管理側電源部４４は、分電盤３２からの電力供給によって管理装置４の動作電源となる。
【００３０】
端末５は、図３に示すように、管理装置４（図１参照）と通信する端末側通信部５１と、蓄電池２１の残量を提示する表示部５２とを備えている。さらに、端末５は、端末５の動作を制御する制御部５３と、端末５の動作電源である端末側電源部５４とを備えている。また、端末５は、図４に示すように、端末側通信部５１と表示部５２と制御部５３と端末側電源部５４とが収納されるケース５５を備えている。
【００３１】
図３に示す端末側通信部５１は、分電盤３２と端末５との間の電力線８（図１参照）に接続され、電力線搬送通信によって管理装置４から残量情報を取得する。つまり、端末側通信部５１は、管理装置４から送信された通信信号を供給電力に重畳した状態で受信し、上記通信信号と供給電力とに分離することによって、上記通信信号に含まれている残量情報を取得する。端末側通信部５１で取得された残量情報は、制御部５３の指示に従って、端末側通信部５１から表示部５２に出力される。また、端末側通信部５１は、上記電力線８に通信信号を重畳させて端末５に伝送することができる。
【００３２】
表示部５２は、図４に示すように、各々が異なる色の光を発する複数（図示例では５つ）の発光部５２１〜５２５を備えている。発光部５２１〜５２５は、ケース５５の前面に露出している。本実施形態では、発光部５２１が青色に点灯し、発光部５２２が緑色に点灯し、発光部５２３が黄色に点灯し、発光部５２４がオレンジ色に点灯し、発光部５２５が赤色に点灯する。
【００３３】
上記のような構成の表示部５２は、制御部５３の指示に従って、端末側通信部５１で取得された残量情報に応じて複数の発光部５２１〜５２５の点灯状態を変化させることによって、蓄電池２１（図１参照）の残量を提示する。表示部５２は提示部の機能を有している。つまり、表示部５２は、残量情報に応じて異なる色の光を点灯させることによって蓄電池２１の残量を表示する。例えば蓄電池２１の残量が１００％である場合に発光部５２１が点灯し、蓄電池２１の残量が８０％である場合に発光部５２２が点灯し、蓄電池２１の残量が５０％である場合に発光部５２３が点灯する。蓄電池２１の残量が３０％である場合に発光部５２４が点灯し、蓄電池２１の残量が１０％である場合に発光部５２５が点灯する。
【００３４】
なお、表示部５２は、上記点灯方法に限定されず、１つの発光部を用いて多色表示したり、１色で点滅間隔を変化させて表示したりすることによって、蓄電池２１の残量を提示してもよい。点滅間隔を変化させる場合、点滅間隔は、例えば蓄電池２１の残量が１００％であるときに１０秒間に設定され、蓄電池２１の残量が８０％であるときに５秒間に設定され、蓄電池２１の残量が５０％であるときに２秒間に設定される。蓄電池２１の残量が３０％であるときに１秒間に設定され、蓄電池２１の残量が１０％であるときに０．５秒間に設定される。
【００３５】
制御部５３は、ＣＰＵを主構成要素とし、例えば端末側通信部５１および表示部５２の動作を制御したり、端末側通信部５１と表示部５２との間の情報の授受を制御したりする。例えば、蓄電池２１の残量を提示する機能が有効である場合、制御部５３は、表示部５２が予め設定された時間間隔で蓄電池２１の残量を表示するように表示部５２を制御する。
【００３６】
端末側電源部５４は、分電盤３２からの電力供給によって端末５の動作電源となる。
【００３７】
ケース５５は、図５に示すように、単位寸法の配線器具（図示せず）が複数個取付可能に形成された取付枠５６１に取り付けられている。配線器具は、ＪＩＳ規格で規格化されている大角形連用配線器具である。図６（ｂ）に示すように、取付枠５６１には、矩形枠状であって細長の器具取付用の窓孔５６３が形成されている。窓孔５６３は、長手方向の寸法が単位寸法の配線器具を３個並べて取付可能な寸法になるように形成されている。取付枠５６１の長手方向に沿う両側枠片５６４，５６４には配線器具を取り付けるための２個１組の器具取付孔５６５が３組ずつ形成されている。取付枠５６１は、住戸９において壁面などの造営面に取り付けられ、ケース５５の後部は造営面に埋設される。取付枠５６１の前面側には、図４に示すように、プレート５６２が重ね合わせて配置される。
【００３８】
ケース５５は、壁スイッチの標準規格で規定された寸法に形成されている。つまり、窓孔５６３の長手方向に沿う方向において、ケース５５の寸法は、単位寸法の配線器具を３個並べたような寸法に設定されている。窓孔５６３の短手方向に沿う方向において、ケース５５の寸法は、窓孔５６３の短手方向の寸法に略等しい。なお、ケース５５の寸法は、上記に限定されず、窓孔５６３の長手方向に沿う方向において、単位寸法の配線器具を１個または２個並べたような寸法であってもよい。また、ケース５５は、１連用の取付枠５６１ではなく、２連用の取付枠（図示せず）に取付可能な大きさであってもよい。
【００３９】
図６に示すように、ケース５５の両側面には、取付枠５６１に形成された器具取付孔５６５に係合可能な取付爪５５１がそれぞれ一対ずつ突出して設けられている。取付爪５５１を器具取付孔５６５に係合させることで、ケース５５が取付枠５６１に保持される。ケース５５の一方の側壁には、取付爪５５１が設けられた部位の上下両側に、後端が開放された２本の切り込み溝５５２，５５２が前後方向に沿って形成されている。２本の切り込み溝５５２，５５２の間の部位は厚み方向において可撓性を有する撓み片５５３が形成されている。すなわち、撓み片５５３をケース５５の内側に撓ませることで、一対の取付爪５５１，５５１をケース５５の側面から弾性的に後退させることができる。
【００４０】
ところで、端末５は、図３に示すように、蓄電池２１（図１参照）の残量を表示部５２に表示させるために操作される残量確認操作部５７を備えている。本実施形態では、残量確認操作部５７として押ボタンスイッチが用いられている。残量確認操作部５７は、使用者が操作できるようにケース５５の前面に露出している（図４参照）。
【００４１】
制御部５３は、使用者が残量確認操作部５７を押下した際に、端末側通信部５１を制御して管理装置４から残量情報を取得し、上記残量情報に従って表示部５２が蓄電池２１の最新の残量を表示するように表示部５２を制御する。
【００４２】
表示部５２は、残量確認操作部５７が操作された際に、制御部５３の指示に従って、蓄電池２１の残量を表示する。
【００４３】
上記のように残量確認操作部５７が操作された場合は、蓄電池２１が放電中であっても充電中であっても、残量確認操作部５７が操作された時点での蓄電池２１の残量を示す残量情報が、管理装置４から端末５に伝送される。このとき表示部５２に表示される蓄電池２１の残量は、蓄電池２１が放電中である場合、これから放電可能な容量（放電可能容量）を示し、蓄電池２１が充電中である場合、既に充電済の容量（充電済容量）を示す。
【００４４】
さらに、端末５は、表示部５２による蓄電池２１の残量を提示する機能について有効と無効とを切り替えるために操作される機能制御操作部５８を備えている。本実施形態では、機能制御操作部５８としてスライドスイッチが用いられている。機能制御操作部５８は、使用者が操作できるように操作摘み５８１がケース５５の前面に露出している（図４参照）。
【００４５】
制御部５３は、使用者による機能制御操作部５８での切替操作に従って、表示部５２による蓄電池２１の残量を提示する機能を有効にするか無効にするかを切り替える。具体的には、蓄電池２１の残量を提示する機能について機能制御操作部５８で有効に切替操作された場合、制御部５３は、表示部５２による蓄電池２１の残量を提示する機能を有効にさせる。蓄電池２１の残量を提示する機能について機能制御操作部５８で無効に切替操作された場合、制御部５３は、表示部５２による蓄電池２１の残量を提示する機能を停止させる。
【００４６】
表示部５２は、制御部５３の指示に従って、蓄電池２１の残量を提示する機能を有効にするか無効にするかを切り替える。
【００４７】
次に、本実施形態に係る配電システムの動作について図１〜３を用いて説明する。まず、管理装置４において、蓄電池２１が電気機器６に電力を供給していることを電力供給検出部４１が検出すると、残量検出部４２が蓄電池２１の残量を検出する。その後、管理側通信部４３が残量情報を端末５に伝送する。端末５では、端末側通信部５１が管理装置４から残量情報を取得し、表示部５２が残量情報に応じて蓄電池２１の残量を表示する。
【００４８】
以上の説明より、本実施形態の配電システムは、蓄電池２１による電力供給が可能な住戸９において、蓄電池２１が電気機器６に電力を供給している場合に、端末５の表示部５２が蓄電池２１の残量を提示する。これにより、本実施形態の配電システムでは、蓄電池２１の残量を使用者へ知らせることができるので、例えば使用者による蓄電池２１の使い過ぎを抑制することができる。
【００４９】
また、本実施形態の配電システムは、上述したように、蓄電池２１が電気機器６に電力を供給している場合に蓄電池２１の残量を提示する。これにより、本実施形態の配電システムは、蓄電池２１の残量を常時提示する場合とは異なり、使用者に対して、蓄電池２１の残量とともに、現在、蓄電池２１が用いられていることを知らせることができる。その結果、使用者に対して電気機器６の使用方法および使用時期を変更させて使用することができ、省エネルギーの意識付けを支援することができる。
【００５０】
さらに、本実施形態の配電システムは、蓄電池２１が電気機器６に電力を供給している場合に蓄電池２１の残量を提示するので、蓄電池２１の残量を常に提示する場合に比べて、管理装置４と端末５との間の通信による通信トラフィックを低減することができる。
【００５１】
本実施形態の配電システムは、使用者が残量確認操作部５７を操作することによって、任意のタイミングで蓄電池２１の残量を確認することができ、電気機器６を使用してよいか否かを判断することができる。
【００５２】
また、本実施形態の配電システムは、使用者が機能制御操作部５８を切替操作することによって、蓄電池２１の残量を提示する機能を有効にするか無効にするかを切り替えることができる。これにより、例えば就寝時や残量提示が不要な場合に、使用者が上記機能を無効にするように機能制御操作部５８を切替操作することによって、無駄な残量提示を防止することができる。
【００５３】
さらに、本実施形態の配電システムは、残量情報に応じて複数の発光部５２１〜５２５を発光させて蓄電池２１の残量を提示することによって、使用者が蓄電池２１の残量を視覚的に確認することができる。
【００５４】
また、本実施形態の配電システムでは、端末５のケース５５の形状が、配線器具用の取付枠５６１に端末５を取付可能な形状になっている。これにより、本実施形態の配電システムによれば、端末５を部屋９１に設置する際に配線器具を設置するための部材を用いることができ、配線器具を設置する場合と同じ施工方法で端末５を部屋９１に設置することができる。
【００５５】
（実施形態２）
実施形態に係る配電システムは、提示部として表示部５２に代えて図７に示すような警報音出力部５９を端末５に備えている点で、実施形態１に係る配電システムと相違する。なお、実施形態１の配電システムと同様の構成要素については、同一の符号を付して説明を省略する。
【００５６】
本実施形態の端末５は、図７に示すように、端末側通信部５１で取得された残量情報に応じて蓄電池２１の残量を提示する警報音出力部５９を備えている。なお、本実施形態の端末５は、端末側通信部５１と制御部５３と端末側電源部５４と残量確認操作部５７とを実施形態１の端末５と同様に備えている。
【００５７】
警報音出力部５９は、例えばスピーカなどの音源（図示せず）を含み、上記音源から出力される音の状態を変化させることで、蓄電池２１（図１参照）の残量を提示する。警報音出力部５９は提示部の機能を有している。警報音出力部５９は、ケース５５の前面から外部に音が出力されるようにケース５５に収納されている（図８参照）。
【００５８】
上記のような構成の警報音出力部５９は、蓄電池２１の残量が１００％である場合に「ピッ」という警報音を出力し、蓄電池２１の残量が８０％である場合に「ピッピッ」という警報音を出力する。警報音出力部５９は、蓄電池２１の残量が５０％である場合に「ピッピッピッ」という警報音を出力し、蓄電池２１の残量が３０％である場合に「ピッピッピッピッ」という警報音を出力し、蓄電池２１の残量が１０％である場合に「ピー」という警報音を出力する。
【００５９】
本実施形態の機能制御操作部５８は、警報音出力部５９による蓄電池２１の残量を提示する機能について有効と無効とを切り替えるために操作される。なお、実施形態１の機能制御操作部５８（図３，４参照）と同様の機能については説明を省略する。
【００６０】
本実施形態の制御部５３は、使用者による機能制御操作部５８での切替操作に従って、警報音出力部５９による蓄電池２１の残量を提示する機能を有効にするか無効にするかを切り替える。
【００６１】
警報音出力部５９は、制御部５３の指示に従って、蓄電池２１の残量を提示する機能を有効にするか無効にするかを切り替える。
【００６２】
以上、本実施形態の配電システムによれば、警報音出力部５９の音の状態を変化させることによって蓄電池２１の残量を提示することができるので、目視による確認が不要となる。これにより、使用者が端末５を視認しにくい場所で電気機器６を操作する場合であっても、使用者に対して、電力コストを抑制した電気機器６の使用を支援することができる。
【００６３】
（実施形態３）
実施形態３に係る配電システムは、管理装置４と端末５とが有線通信ではなく無線通信を行う点で、実施形態１に係る配電システムと相違する。なお、実施形態１の配電システムと同様の構成要素については、説明を省略する。
【００６４】
本実施形態の管理側通信部４３は、例えば無線ＬＡＮ（Local Area Network）などの無線通信によって残量情報を端末５に伝送する。なお、実施形態１の管理側通信部４３と同様の機能については説明を省略する。
【００６５】
なお、本実施形態における管理装置４と端末５とが無線通信を行う機能は、実施形態２の配電システムに適用してもよい。
【符号の説明】
【００６６】
２１  蓄電池
４  管理装置
４１  電力供給検出部
４２  残量検出部
４３  管理側通信部
５  端末
５１  端末側通信部
５２  表示部（提示部）
５２１〜５２５  発光部
５５  ケース
５７  残量確認操作部
５８  機能制御操作部
５９  警報音出力部（提示部）
６  電気機器
９  住戸
【図１】
0005842087.tif 000002
【図２】
0005842087.tif 000003
【図３】
0005842087.tif 000004
【図４】
0005842087.tif 000005
【図５】
0005842087.tif 000006
【図６】
0005842087.tif 000007
【図７】
0005842087.tif 000008
【図８】
0005842087.tif 000009